(57)【特許請求の範囲】
【請求項１】
マイク部、通話表示灯を有し、モニタテレビを内蔵した本体部と、モニタテレビ表示窓を配し、そのモニタテレビ表示窓の下方に通話押ボタンを配したカバー体とを組み合わせて一体化して成るハンズフリー型テレビインターホンにおいて、
上記モニタテレビ表示窓にはパネルが設けられており、このパネルの裏には、前記モニタテレビ表示窓の枠部に、通話表示灯を設けた構造としたハンズフリー型テレビインターホン。
【請求項２】
請求項１において、
上記通話表示灯は、モニタテレビ表示窓に外装したスモークパネルを介して表示しているハンズフリー型テレビインターホン。
【請求項３】
請求項１又は２の何れかにおいて、
上記カバー体の通話表示灯に近接して、マイク部を更に設けている。
【請求項４】
マイク部、通話表示灯を有し、モニタテレビを内蔵した本体部と、モニタテレビ表示窓を配し、そのモニタテレビ表示窓の下方に通話押ボタンを配したカバー体とを組み合わせて一体化して成るハンズフリー型テレビインターホンにおいて、
上記モニタテレビ表示窓にはパネルが設けられており、このパネルの裏には、通話表示灯を設け、その近傍にはマイク部を設けており、これらの通話表示灯とマイク部とは、本体部に内蔵された、電源部、通話、映像処理のための制御部を構成するメイン回路基板とは分離された共通のサブ回路基板上に実装され、両方の回路基板をハーネスで接続して構成されているハンズフリー型テレビインターホン。
【請求項５】
請求項４において、
上記共通のサブ回路基板は、上記メイン回路基板の上方に配置されており、ハーネスで直結されている。
【請求項６】
請求項４又は５の何れかにおいて、
上記サブ回路基板には取付孔を開設し、これを上記本体部とカバー体の取付け用孔部に重合し、上記サブ回路基板を本体部とカバー体で挟持しているハンズフリー型テレビインターホン。
【請求項７】
請求項４〜６の何れかにおいて、
上記サブ回路基板に対応するカバー体の内面には、サブ回路基板を仮支持する爪部を設けているハンズフリー型テレビインターホン。
【発明の詳細な説明】
【０００１】
【発明の属する技術分野】
本発明は、ハンズフリー型テレビインターホンの改良に係り、詳しくは、カバー体のモニタテレビ表示窓に設けたパネルの裏に、このパネルを介して表示される通話表示灯を設けた構造にしたハンズフリー型テレビインターホンに関する。
【０００２】
【従来の技術】
図７（ａ）は、従来のハンズフリー型テレビインターホンＡの概要を示す正面図である。
このハンズフリー型テレビインターホンは、マイク部１０２、通話表示灯１０１、モニタテレビを内蔵した本体部と、モニタテレビ表示窓１１２を配し、そのモニタテレビ表示窓１１２の下方に通話押ボタン１０３を配したカバー体とを組み合わせて構成している。
【０００３】
そして、このハンズフリー型テレビインターホンには、例えば玄関の外壁に取付けたカメラ付ドアホンなどに連結されている。
図７（ｂ）、（ｃ）は、上記ハンズフリー型テレビインターホンの概略構造を示す正面図である。
上記通話表示灯１０１は、図７（ｂ）に示すように、上記通話押ボタンの下端中央に配置されている。
そして、構造的には、その部分拡大断面図に示すように、ＣＲＴ１１２と上記通話押ボタン１０１の間にプリント板Ｐを設け、このプリント板Ｐ上に薄型チップ型ＬＥＤ１０１を立設しており、この薄型ＬＥＤ１０１の前側に位置する通話押ボタン１１３には、薄型チップ型ＬＥＤ１０１を表示するための2色成形レンズ１２１を設けている。
【０００４】
また、上記マイク部１０２は図７（ｃ）に示すように、モニタテレビ表示窓の下側一側に配置されており、このマイク部１０２は、モニタテレビ表示窓１１２の範囲内にある回路基板にマイク用ハーネス１２２を介して結線されている。
【０００５】
【発明が解決しようとする課題】
しかし、上記通話表示灯は、ＣＲＴ上位に設けられているため、その設置スペースが狭く、一般的なＬＥＤをプリント板上に立設できない。そのため、上記薄型チップ型ＬＥＤを通話表示灯として用いている。
また、この薄型チップ型ＬＥＤを通話表示灯として用いた場合には、その表示のための上記２色レンズが必須となる。
【０００６】
さらに、この薄型チップ型ＬＥＤを搭載するためのＰＣＢも必須となる。
従って、従来の通話表示灯は、コストが高くつくうえ、構成も複雑化するという問題があった。
また、上記通話表示灯は、図のようにモニタテレビ表示窓と上下に離れた位置にあるので、操作者がモニタテレビの画像を見ながら通話表示灯を確認するには、その目線を上下移動しなければならないという不都合もあった。
【０００７】
本発明は、かかる課題を解決することを目的としたもので、２色成形レンズを不要として、一般的なＬＥＤを通話表示灯として使用でき、しかもモニタテレビの画像を見ながら目線を移動させずに上記通話表示灯を確認できる簡易な構造のハンズフリー型テレビインターホンを提供する。
【０００８】
【課題を解決するための手段】
上記目的を達成するため、請求項１、２に係るハンズフリー型テレビインターホンは、マイク部、通話表示灯を有し、モニタテレビを内蔵した本体部と、モニタテレビ表示窓を配し、そのモニタテレビ表示窓の下方に通話押ボタンを配したカバー体とを組み合わせて一体化して成るハンズフリー型テレビインターホンにおいて、上記モニタテレビ表示窓にはパネルが設けられており、このパネルの裏には、前記モニタテレビ表示窓の枠部に、通話表示灯を設けた構造としており、さらに具体的にいえば上記通話表示灯は、モニタテレビ表示窓に外装したスモークパネルを介して表示しているこの請求項１、２では、上記通話表示灯は、モニタテレビ表示窓に外装したスモークパネルを介して表示していることで、このパネル表面のシボを利用して表示することができる。また、上記通話表示灯はパネルの裏、つまりパネル範囲内で点灯されるので、モニタテレビ画像を見ながらその点灯を容易に確認できる。
【０００９】
請求項３に係るハンズフリー型テレビインターホンは、請求項１又は２の何れかにおいて、上記カバー体の通話表示灯に近接して、マイク部を更に設けている。そのため、通話時においてもモニタテレビ画像を見ながら容易に応答できる。
請求項４に係るハンズフリー型テレビインターホンは、マイク部、通話表示灯を有し、モニタテレビを内蔵した本体部と、モニタテレビ表示窓を配し、そのモニタテレビ表示窓の下方に通話押ボタンを配したカバー体とを組み合わせて一体化して成るハンズフリー型テレビインターホンにおいて、上記モニタテレビ表示窓にはパネルが設けられており、このパネルの裏には、通話表示灯を設け、その近傍にはマイク部を設けており、これらの通話表示灯とマイク部とは、本体部に内蔵された、電源部、通話、映像処理のための制御部を構成するメイン回路基板とは分離された共通のサブ回路基板上に実装され、両方の回路基板をハーネスで接続して構成されている。ここでは、メイン回路基板と分離されたサブ回路基板を設けることで、ノイズを防止している。
【００１０】
請求項５に係るハンズフリー型テレビインターホンは、請求項４における上記共通のサブ回路基板は、上記メイン回路基板の上方に配置されており、ハーネスで直結したものを提供する。
請求項６に係るハンズフリー型テレビインターホンは、請求項４又は５の何れかにおいて、上記サブ回路基板には取付孔を開設し、これを上記本体部とカバー体の取付け用孔部に重合し、上記サブ回路基板を本体部とカバー体で挟持しており、容易且つ安定して上記サブ回路基板を取付けできる。
【００１１】
請求項７に係るハンズフリー型テレビインターホンは、請求項４〜６の何れかにおいて、
上記サブ回路基板に対応するカバー体の内面には、サブ回路基板を仮支持する爪部を設けている。そのため、組立時においてサブ回路基板をカバー体に仮支持でき、組立性を高めている。
【００１２】
【発明の実施の形態】
以下、本発明に係るハンズフリー型テレビインターホンを図面に基づき説明する。
図１は、本発明に係るハンズフリー型テレビインターホンの一実施例を示す分解斜視図である。
これらの図において、本発明のハンズフリー型テレビインターホンＡは、壁面に取付可能な取付け板Ｂ’を裏面に備えた本体部Ｂに、カバー部Ｃを表面側に組み合わせて一体化するボックス型に形成している。
上記本体部Ｂには、通話表示灯１と、マイク部２を近接して配設した共通のサブ回路基板３、モニタテレビ４と、回路基板５が内臓されている。
【００１３】
一方、上記カバー体Ｃには、モニタテレビ４の表示画面４１と対応する位置にモニタテレビ表示窓１１を開設し、このモニタテレビ表示窓１１の周縁は段落ちされた枠部１１ａを形成し、この枠部１１ａにスモークパネル１２を外装している。
また、上記カバー体Ｃの下端中央には、通話押ボタン１３を設けている。
【００１４】
以下、これらを詳説する。
図２は、図１の要部を拡大した部分斜視図であり、図３は、要部を拡大した概略説明図である。
上記通話表示灯１は、上記モニタテレビ表示窓１１の枠部１１ａの直下に設置されているので一般的なＬＥＤ使用でき、この通話表示灯１はサブ回路基板３上に設けられている。また、この通話表示灯１に対応する上記枠部１１ａには、ＬＥＤを外被する貫通小孔１１ｂを開設している。
【００１５】
従って、上記通話表示灯１の発光は、上記貫通小孔１１ｂを通過して直接スモークパネル１２の裏にあたるとともに、このスモークパネル１２を介して、その通話表示灯１を表示できる。
なお、上記貫通小孔１１ｂは、スモークパネル１２に形成されているシボ（凹凸面）の凹部を利用すれば、容易に開設できる。
【００１６】
マイク部２は、上記通話表示灯１に近接したサブ回路基板３上に設けたもので、その位置は、上記モニタテレビ表示窓１１の外側である上記カバー体Ｃの縁部１１ｃ直下に設置されている。また、このマイク部２に対応する上記縁部１１ｃには、通話用貫通孔１１ｄを開設している。
従って、上記マイク部２に対して直接的にその会話音を伝達できる。
【００１７】
上記サブ回路基板３には、上記通話表示灯１、マイク部２に加え、ノイズ対策部品などが実装され、上記メイン回路基板５とは分離している。そのため、サブ回路基板３とメイン回路基板５は、ハーネス３２で接続している。
また、上記サブ回路基板３は、メイン回路基板５の上方、すなわちカバー体Ｃ側に固定して配置されている。
【００１８】
図４は、サブ回路基板３の固定状態を示す部分拡大断面図である。
上記本体部Ｂの隅には、下方に開放した中空リブ１Ｂが立設されており、この中空リブ１Ｂ上面には、取付け用孔部２Ｂが形成されている。
一方、これに対応する上記カバー体Ｃの隅には、下方に開放した中空リブ１Ｃが下設されており、この中空リブ１Ｃ内面には雌ネジ溝２Ｃを形成している。これらの中空リブ１Ｂ、１Ｃは、従来のリブを僅かに切削加工すれば成形でき、上記サブ回路基板３を所望の高さ位置に挟持できる。従って、使用する通話表示灯１の種類に応じた取付け高さを設定できる。
また、上記中空リブ２Ｃに隣接して上記マイク部２を嵌挿するマイク保護部３Ｃを形成している。
【００１９】
上記サブ回路基板３には取付孔３１を開設し、この取付孔３１を上記本体部Ｂとカバー体Ｃの取付け用孔部２Ｂ（２Ｃ）に重合させて、上記サブ回路基板３を本体部とカバー体で挟持し、本体部Ｂとカバー体Ｃとを固定する取付けネジＤの螺合によってサブ回路基板３を確実に固定している。
上記モニタテレビ４としては、偏平型のものを使用し、このモニタテレビ４の下方には上記メイン回路基板５を実装している。
【００２０】
このメイン回路基板５は、図１に示す各種の必要な器具を設けており、５１は電源部、５２はスピーカー部、５３は呼出音量調節スイッチ、５４は映像処理のための制御部などで構成している。
さらに、図５の組立て要領図に示すように上記サブ回路基板３に対応するカバー体Ｃの内面には、サブ回路基板３を仮支持する爪部３Ｄを設け、サブ回路基板３には、図２に示すように前記爪部３Ｄに係止される係止孔部３３を形成している。
【００２１】
そのため、図５に示すように、上記サブ回路基板３の係止爪部３３を一旦カバー体Ｃの爪部３Ｄに係合してこれを仮支持した後、カバー体Ｃを本体部Ｂに被せれば位置合わせされた状態で両者を容易に一体化でき、その組立性を高めている。
上記のように構成した本発明のハンズフリー型テレビインターホンは、以下のように使用する。
図６は、本発明に係るハンズフリー型テレビインターホンＡの使用説明図である。
図１を参照しながら本図に基づき使用方法を説明すれば、例えば来訪者が、玄関の外壁に取付けたカメラ付ドアホンなどの呼びボタンを押すと、これと連結されたハンズフリー型テレビインターホンＡのスピーカー５２が鳴動するとともに、カバー体Ｃのパネル１２に来訪者の画像が映し出される。
【００２２】
これを確認した操作者は、来訪者に対して応答したければ、パネル１２の下方にある通話押ボタン１３を押圧すると、本体部Ｂ内の通話スイッチ５５がオンの状態となって、上記パネル１２内の一側に位置した通話表示灯１が点灯し、通話可能状態であることを操作者に識別させる。
また、来訪者が上記カメラ付きドアホンの呼びボタンを押さない場合であっても、操作者が上記通話押ボタン１３を押圧すると、本体部Ｂ内の通話スイッチ５５がオンの状態となって、前記通話表示灯１が点灯し、通話可能状態であることを識別させる。
【００２３】
そして、通話表示灯１を確認した操作者は、通話表示灯１に近接したマイク部２に向けて応答すれば、上記カメラ付ドアホンのスピーカーを介して来訪者などに応対できるのである。
【００２４】
【発明の効果】
本発明に係るハンズフリー型テレビインターホンによれば、通話表示灯を、モニタテレビ表示窓のパネルの裏の枠部に設けているので、上記通話表示灯の設置スペースを確保できる。そのため、通話表示灯として薄型チップ型ＬＥＤに限定されることなく一般的なＬＥＤを使用することができるので、従来のような２色レンズを不要にできるうえ、薄型チップ型ＬＥＤを搭載するＰＣＢも不要にできる。
【００２５】
従って、通話表示灯の構成を簡易化し、コストダウンを図ることができる。
また、上記通話表示灯は、上記パネルの裏、つまりモニタテレビ表示窓の範囲内であって、モニタテレビ画像と近接した位置で点灯されるので、操作者がモニタテレビの画像を見ながらでも目線を動かすことなく通話表示灯を容易に確認できる。
【００２６】
また、通話表示灯に近接してマイク部を設けることで、通話表示灯とマイク部をメイン回路基板とは分離した共通のサブ回路基板上に実装でき、これをハーネスで接続しているだけなので、従来のような不統一な構成を採ることなく、その組立性を簡素化し、性能を高めることができる。
さらに、サブ回路基板をカバー体の爪部で仮支持できるので、位置決めを容易にし、さらに組立性を高めることができる。
【図面の簡単な説明】
【図１】 本発明に係るハンズフリー型テレビインターホンの一実施例を示す分解斜視図
【図２】 図１の要部を拡大した部分斜視図
【図３】 要部を拡大した概略説明図
【図４】 サブ回路基板の固定状態を示す部分拡大断面図
【図５】 組立て要領図
【図６】 本発明に係るハンズフリー型テレビインターホンの使用説明図
【図７】 従来のハンズフリー型テレビインターホンの概要を示す正面図
【符号の説明】
Ａ    ハンズフリー型テレビインターホン
Ｂ    本体部
Ｃ    カバー体
１    通話表示灯
１１  モニタテレビ表示窓
１２  パネル（スモークパネル）
１３  通話押ボタン
２    マイク部
３    サブ回路基板
３１  取付孔
３２  ハーネス
４    モニタテレビ
５    メイン回路基板
２Ｂ，２Ｃ  取付け用孔部
３Ｄ  爪部
【図１】
0003750424.tif 000002
【図２】
0003750424.tif 000003
【図３】
0003750424.tif 000004
【図４】
0003750424.tif 000005
【図５】
0003750424.tif 000006
【図６】
0003750424.tif 000007
【図７】
0003750424.tif 000008